(57)【特許請求の範囲】
【請求項１】
容器に固定可能な接合部と、該接合部より上方に延びるスパウト筒部と、
該スパウト筒部の注出口先端に折取り可能な薄肉部を介して一体に形成された封止キャップと、からなる折取りスパウトにおいて、
前記封止キャップは、外側に張出して設けられた摘み部を有し、前記摘み部の内面と前記スパウト筒部の外周面とが破断可能なブリッジを介して連結されており、
前記スパウト筒部の外周面には、少なくとも該ブリッジの両側に設けられた傾斜ガイド部を有しており、
前記封止キャップの開封時に、
前記摘み部を回転させることによって、
前記折取り可能な薄肉部及び前記ブリッジを破断するとともに、
前記破断されたブリッジが前記傾斜ガイド部に沿って上方に案内されることで、
前記封止キャップを前記スパウト筒部の注出口先端から分離するようにしたことを特徴とする折取りスパウト。
【請求項２】
前記傾斜ガイド部は、前記ブリッジより下方位置且つ周方向近傍位置から上方に向かって延びる傾斜面を有していることを特徴とする請求項１に記載の折取りスパウト。
【請求項３】
前記スパウト筒部の外周には、
前記封止キャップを取り外したスパウト筒部に装着されるチューブの抜けを防止するための段差状装着部が設けられていることを特徴とする請求項１又は２に記載の折取りスパウト。
【請求項４】
前記スパウト筒部の外周には、
前記封止キャップを取り外したスパウト筒部に装着されるチューブ付きコネクタを螺合するための螺着部が設けられていることを特徴とする請求項１乃至３の何れかに記載の折取りスパウト。
【発明の詳細な説明】
【技術分野】
【０００１】
本発明は、袋状の容器の口部に接着固定されるスパウト筒部の注出口先端に折取り可能な薄肉部を介して一体に形成された封止キャップを連結してなる折取りスパウトに関する。
【背景技術】
【０００２】
従来、プラスチックフィルムやアルミ箔などの可撓性材料で袋状に形成された容器は、各種の食品容器や、薬液などを収容した医療用容器などに広く適用されている。
このような袋状容器には、スパウトと呼ばれる両端が開口したプラスチック製の筒状体からなる注出具が設けられており、このようなスパウトとして、例えば、特許文献１には、図７に示すように、注出筒７１（スパウト筒部１２）先端に、水平スコア７２（薄肉部１３）を介して注出口閉塞体７３（摘み部１４ａ）を連結し、水平スコア７２は、注出筒７１の上端を閉じるように形成された脚筒７４（連結部１４ｃ）を備え、水平スコア７２は脚筒７４の下端部外面と注出筒７１の上端部内面と一体に連結しており、水平スコア７２を注出筒７１から切り離すまで密封が保たれる折取りスパウト７０が記載されている。
【先行技術文献】
【特許文献】
【０００３】
【特許文献１】特開２００４−２１０３２１号公報
【発明の概要】
【発明が解決しようとする課題】
【０００４】
前記従来のスパウト７０では、開封時において、閉塞体７３を手指で把持して押し込みぎみにねじるようにして水平スコア７２を破断して注出筒７１の上端に注出口を形成する。このとき、形成された注出口に、切り離された閉塞体７３の脚筒７４の周縁が潜り込んで噛み込んだ状態になることがある。
このように注出口に、切り離された脚筒７４の周縁が潜り込んで噛み込んだ状態が一旦生じると、力の弱い幼児や高齢者などは脚筒７４の取り外しが困難となるという問題点があった。
また、注出筒７１と脚筒７４とが環状の水平スコア７２だけで連結されているので、
不用意な外力が加わった場合の耐久性に乏しく、環状の水平スコア７２が破断しやすいといった問題もあった。
【０００５】
本発明は前記従来の課題を解決するためになされたもので、開封時に分離された封止キャップが、破断形成された注出口に潜り込んで噛み込むようなことをなくし、封止キャップとスパウト筒部との連結強度を増した耐久性に優れた折取りスパウトを提供することを目的とする。
【課題を解決するための手段】
【０００６】
（１）本発明の折取りスパウトは、容器に固定可能な接合部と、該接合部より上方に延びるスパウト筒部と、該スパウト筒部の注出口先端に折取り可能な薄肉部を介して一体に形成された封止キャップと、からなる折取りスパウトにおいて、
前記封止キャップは、外側に張出して設けられた摘み部を有し、前記摘み部の内面と前記スパウト筒部の外周面とが破断可能なブリッジを介して連結されており、
前記スパウト筒部の外周面には、少なくとも該ブリッジの両側に設けられた傾斜ガイド部を有しており、
前記封止キャップの開封時に、前記摘み部を回転させることによって、前記折取り可能な薄肉部及び前記ブリッジを破断するとともに、前記破断されたブリッジが前記傾斜ガイド部に沿って上方に案内されることで、前記封止キャップを前記スパウト筒部の注出口先端から分離するようにしたことを特徴とする。
【０００７】
（２）本発明は前記（１）の折取りスパウトにおいて、前記傾斜ガイド部は、
前記ブリッジより下方位置且つ周方向近傍位置から上方に向かって延びる傾斜面を有するように構成されていることを特徴とする。
【０００８】
（３）本発明は前記（１）又は（２）の折取りスパウトにおいて、前記スパウト筒部の外周には、前記封止キャップを取り外したスパウト筒部に装着されるチューブの抜けを防止するための段差状装着部が設けられていることを特徴とする。
【０００９】
（４）本発明は前記（１）〜（３）のいずれかの折取りスパウトにおいて、前記スパウト筒部の外周には、前記封止キャップを取り外したスパウト筒部に装着されるチューブ付きコネクタを螺合するための螺着部が設けられていることを特徴とする。
【発明の効果】
【００１０】
本発明の折取りスパウトは、封止キャップの外側に張出して設けられた摘み部と、摘み部の内面とスパウト筒部の外周面とを連結する破断可能なブリッジと、破断されて回転移動するブリッジの先端に沿ってその両側となるスパウト筒部の外周面に設けられた傾斜ガイド部とを有しており、前記封止キャップの開封時に前記摘み部を回転させることによって薄肉部及び摘み部側のブリッジ端を破断するとともに、前記破断されたブリッジ端が傾斜ガイド部に沿って上方に案内されることで、前記封止キャップを前記スパウト筒部の注出口先端から分離するようにしているので、キャップ開封の際に折り取られたキャップ部分が開口部に潜り込んで噛み込むようなことがない。
このようにして、優れた開封性を付与するとともに、耐久性を備えた折取りスパウトを提供することができる。
【図面の簡単な説明】
【００１１】
【図１】本発明の実施例の折取りスパウトの全体正面図である。
【図２】図１の折取りスパウトの全体側面図である。
【図３】図１の折取りスパウトの一部正面半断面図である。
【図４】図３の折取りスパウトの一部側面半断面図である。
【図５】図１の折取りスパウトの開封後の一部正面半断面図である。
【図６】図５の折取りスパウトの一部側面半断面図である。
【図７】従来のスパウトの正面半断面図である。
【発明を実施するための形態】
【００１２】
本実施形態の折取りスパウトは、環状の薄肉部を介してスパウト筒部と封止キャップとが一体に成形され、接合部によって袋状に形成されたパウチ容器などの容器に固定され、容器内の液状物を注ぎ出すために用いられる注出具であり、スパウト筒部の外側に板状に張出して形成された摘み部がブリッジを介してスパウト筒部に連結されて、全体的な剛性や強度が高められ、輸送時などにおける安全性や耐久性を高めたものである。
以下、本発明に係る折取りスパウトの一実施形態について、図面を参照しながら詳細に説明する。
図１は実施例の折取りスパウトの全体正面図であり、図２は図１の側面図である。図３は一部正面半断面図であり、図４はその側面半断面図である。図５は開封後の一部正面半断面図であり、図６はその側面半断面図である。
【００１３】
図示するように、実施形態の折取りスパウト１０は、袋状に形成されたパウチ容器などの注出用開口部に接着材による接着、加熱溶着、螺着などの手段により固定可能な接合部１１と、該接合部１１より上方に延びるスパウト筒部１２と、該スパウト筒部１２の注出口１２ａ先端に折取り可能な薄肉部１３を介して一体に形成された封止キャップ１４とからなる。
封止キャップ１４には、使用者が開封時に容易に手指で把持することができるように外側に張出して設けられた摘み部１４ａが備えられているとともに、この摘み部１４ａの内面とスパウト筒部１２の外周面とを破断可能なブリッジ１４ｂを介して連結して、折取りスパウトの不注意な取り扱いや運搬中の衝撃などによって薄肉部１３が容易に破断することのない耐久性を付与している。
【００１４】
封止キャップ１４は、スパウト筒部１２に環状の薄肉部１３を介して一体に形成された連結部１４ｃと連結部１４ｃの上面を覆う天面部１４ｄと天面部１４ｄの両外側から外方に張出し、さらに下方に延びる摘み部１４ａが設けられており、封止キャップ１４を手指で把持して折り取る際および周方向に回動する際の操作が容易にできるようにしている。
【００１５】
また、摘み部１４ａの内面とスパウト筒部１１の外周面との間にブリッジ１４ｂが配設されている。すなわち、折取りスパウト１０の開封前には、ブリッジ１４ｂを介して摘み部１４ａとスパウト筒部１２とが、弱化部１５を介して局部的に連結された構造となっている。
これによって、開封前における折取りスパウト１０の摘み部１４ａが、スパウト筒部１１の軸芯方向に対して横方向に撓むことを防止して不用意に薄肉部１３が開封されることのないように強度を付与している。
【００１６】
ブリッジ１４ｂは、封止キャップ１４の外側に張出して設けられた摘み部１４ａの両側に張出し、さらに下方に延びる部分の内方側と、スパウト筒部１２の外周面とを局部的に連結しており、開封時に、この摘み部１４ａを把持して封止キャップ１４を周方向に回転させることによって、ブリッジ１４ｂのスパウト筒部１２の外周面に連結されている弱化部分である弱化部１５が破断されて、ブリッジ１４ｂはスパウト筒部１２の外周面から切り離され、摘み部１４ａの内面に、スパウト筒部１２の外周面に向かって突出したブリッジ１４ｂが残されるようになっている。即ち、ブリッジ１４ｂは、摘み部１４ａ側からスパウト筒部１２側に向かって、漸次薄肉となっている。
なお、ブリッジ１４ｂの弱化部１５は、開封前においては傾斜ガイド部１２ｂの最下位置に対応した部位の即上部においてスパウト筒部１２の外周面に連結されている。
【００１７】
ブリッジ１４ｂが弱化部１５を介して配置されているスパウト筒部１２の外周面には、傾斜ガイド部１２ｂが両ブリッジ１４ｂに近接して設けられている。傾斜ガイド部１２ｂは、摘み部１４ａの内面に残され回転移動する両ブリッジ１４ｂの先端を当接して、このブリッジ１４ｂを上方に案内するための溝などの案内部であり、使用者が封止キャップ１４の開封時に摘み部１４ａを手指で把持して周方向に回転させることによって、折取り可能な薄肉部１３及びブリッジ１４ｂを破断するとともに、破断されたブリッジ１４ｂを傾斜ガイド部１２ｂに沿って上方に案内する。
【００１８】
また、傾斜ガイド部１２ｂは、ブリッジ１４ｂが切り離される前の連結位置の下部に近接した部位を基点として、スパウト筒部１２外周面に、周方向の２方向にそれぞれ上昇するように傾斜して形成されており、開封時において、摘み部１４ａを周方向のいずれ方向に回転させても、破断されたブリッジ１４ｂの先端を傾斜ガイド部１２ｂに沿って上方に案内して、封止キャップ１４をスパウト筒部１２の注出口１２ａ先端から分離するようにしている。
また、上方に案内されたブリッジ１４ｂを傾斜ガイド部１２ｂ上方に留め置き、薄肉部１３の破断により形成された注出口１２ａに封止キャップ１４が再び潜り込むことを防止することができる。
なお、図示していないが、傾斜ガイド部１２ｂは、一方のブリッジ１４ｂのみを案内するように、片側のブリッジに近接して設けられていてもよい。
【００１９】
さらに、本実施形態の折取りスパウト１０は、傾斜ガイド部１２ｂが、前述した案内溝の他に、ブリッジ１４ｂより下方位置且つ周方向近傍位置から上方に向かって延びる傾斜面を有するものであってもよい。傾斜面の場合は、半径方向に幅を持った坂道の形状となっており、摘み部１４ａを周方向に回転させると、ブリッジ１４ｂの下方が傾斜面に接して案内されるようになる。
傾斜ガイド部１２ｂをブリッジ１４ｂを挟み込む溝ではなくブリッジ１４ｂの下方のみを拘束する傾斜面とすることによって、摘み部１４ａをスパウト筒部１２から分離することがより容易となる。
【００２０】
さらに、折取りスパウト１０は、スパウト筒部１２の注出口１２ａ先端が環状の薄肉部１３を介して封止キャップ１４に連なっているとともに、スパウト筒部１２の外周面がブリッジ１４ｂを介して連結されている構造を有しており、このため、環状の薄肉部のみによりキャップとスパウトとが連なっている従来公知のキャップ一体型注出具に比して、不用意に外力が加わった場合などにおける封止キャップの耐久性に優れている。
薄肉部１３は、スパウト筒部１２と封止キャップ１４とを連結している弱化部分であり、スパウト筒部１２と封止キャップ１４との封止状態を維持するとともにスパウト筒部１２に封止キャップ１４を固定し、封止キャップ１４の摘み部１４ａを手指で把持して回転する開封操作を行うことによって容易に破断され、封止キャップ１４を折り取って、注出口１２ａをスパウト筒部に形成させることができる。
【００２１】
接合部１１は、舟形筒状であり、その上面に下フランジ１１ａとさらに間隔を空けた位置に上フランジ１１ｂを備え、袋状のパウチ容器などの開口部に挿入された後、固定される。固定手段としては、加熱溶着や接着材の使用などが挙げられる。
図では、接合部１１の装着面に上中下３段の線状突起１１ｃが配置されており、これによって、接合部１１のパウチ容器への接合を容易にしている。
【００２２】
接合部１１の上フランジ１１ｂ上方へスパウト筒部１２が延設されており、スパウト筒部１２は、折取りスパウト１０から封止キャップ１４を取り除いた開封後において、使用者が直接口を付ける飲み口や、注出用チューブなどの装着部分となる。
【００２３】
なお、スパウト筒部１２の外周には、フランジ１１ｂ側から先端側の薄肉部１３に向かって先細り状に且つ段差を有して形成された複数の段差状装着部１２ｃを設けることもできる。このような段差状装着部１２ｃを設けることにより、薄肉部１３を破断して封止キャップ１４を折り取った状態のスパウト筒部１２に装着されるチューブの抜け落ちを効果的に防止でき、容器から薬液などの内容物を外部に漏出させることなく移送することができる。
【００２４】
さらに、本実施形態の折取りスパウト１０は、スパウト筒部１２の外周に封止キャップを取り外したスパウト筒部１２に装着されるチューブ付きコネクタを螺合するための螺着部１２ｄを設けることもできる。
これによって、チューブ付きコネクタを介してチューブをスパウト筒部１２に確実に取り付けることができ、内容物の漏洩を防止して安全かつ衛生的に利用することができる。
【００２５】
なお、折取りスパウト１０を構成する樹脂材としては、成形性や容器壁との薄肉部１３の引き裂き性や接着性や溶着性などの観点から、各種のオレフィン樹脂、例えば低−、中−、或いは高密度ポリエチレン、線状低密度ポリエチレン、アイソタクティックポリプロピレン、シンジオタクティックポリプロピレン、ポリ１−ブテン、ポリ４−メチル−１−ペンテンあるいはエチレン、プロピレン、１−ブテン、４−メチル−１−ペンテン等のα−オレフィン同士のランダムあるいはブロック共重合体、エチレン−酢酸ビニル共重合体、エチレン−（メタ）アクリル酸共重合体、エチレン−(メタ)アクリル酸エステル共重合体、イオン架橋オレフィン共重合体（アイオノマー）などを適用することができる。
この中でも特に軟質のものを用いることによって、折取りスパウトを射出成形機等により精密にかつ安価に一体成形することができる。
【産業上の利用可能性】
【００２６】
本発明は、封止キャップの外側に張出して設けられた摘み部の内面とスパウト筒部の外周面とを破断可能なブリッジで連結して、破断されて回転移動するブリッジの先端に当接してこれを上方に案内する傾斜ガイド部を設けた折取りスパウトに関するものであり、
キャップ開封の際に折り取られたキャップ部分が開口部に潜り込んで噛み込むようなことがなく、優れた開封性を付与するとともに、耐久性を備えた折取りスパウトを提供することができ、産業上の利用可能性が極めて高い。
【符号の説明】
【００２７】
１０    折取りスパウト
１１    接合部
１１ａ    下フランジ
１１ｂ    上フランジ
１１ｃ    線状突起
１２    スパウト筒部
１２ａ    注出口
１２ｂ    傾斜ガイド部
１２ｃ    段差状装着部
１２ｄ    螺着部
１３    薄肉部
１４    封止キャップ
１４ａ    摘み部
１４ｂ    ブリッジ
１４ｃ    連結部
１４ｄ    天面部
１５    弱化部
【図１】
0005656259.tif 000002
【図２】
0005656259.tif 000003
【図３】
0005656259.tif 000004
【図４】
0005656259.tif 000005
【図５】
0005656259.tif 000006
【図６】
0005656259.tif 000007
【図７】
0005656259.tif 000008